【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
ハードウェアプロセッサおよびメモリを備えるデバイス検出装置であって、前記ハードウェアプロセッサは、
ローカルネットワークによって前記デバイス検出装置に接続されるクライアントデバイスから受信されるデータを分析して、前記クライアントデバイスの特徴の集合を求め、
応答して、特徴の前記集合に従ってデバイスのカテゴリを選択し、
特徴の前記集合の第１の部分集合に従って第１のスコアを求め、前記第１のスコアは、前記クライアントデバイスがデバイスの前記カテゴリを表す第１の程度を示し、
特徴の前記集合の第２の部分集合に従って第２のスコアを求め、前記第２のスコアは、前記クライアントデバイスがデバイスの前記カテゴリを表す第２の程度を示し、
前記第１および第２のスコアを組み合わせて集約スコアを生成し、
前記集約スコアを生成したことに応答して、前記集約スコアに従って前記クライアントデバイスをデバイスの前記カテゴリに割り当てるべきかどうかを判定する
ように構成される、デバイス検出装置。
【請求項２】
請求項１に記載のデバイス検出装置であって、前記クライアントデバイスをデバイスの前記カテゴリに割り当てるべきかどうかを判定することは、
前記集約スコアを、第３のスコアであって前記クライアントデバイスがデバイスの別のカテゴリを表す第３の程度を示す第３のスコアと比較することと、
応答して、前記比較の結果に従って前記クライアントデバイスをデバイスの前記カテゴリに割り当てるべきかどうかを判定することと
を含む、デバイス検出装置。
【請求項３】
請求項１に記載のデバイス検出装置であって、前記集約スコアは、
σ・ｗ，
に従って求められ、σは前記第１のスコアを意味し、ｗは特徴の前記第１の部分集合に従って求められる数値重みを意味する、デバイス検出装置。
【請求項４】
請求項３に記載のデバイス検出装置であって、前記重みｗは前記のデバイスのカテゴリに更に従って求められる、デバイス検出装置。
【請求項５】
請求項３に記載のデバイス検出装置であって、前記重みｗは前記第１のスコアに更に従って求められる、デバイス検出装置。
【請求項６】
請求項１に記載のデバイス検出装置であって、前記集約スコアは、
ｗ・ｆ（σ），
に従って求められ、σは前記第１のスコアを意味し、ｗは特徴の前記第１の部分集合に従って求められる数値重みを意味し、ｆは単射関数を意味する、デバイス検出装置。
【請求項７】
請求項１に記載のデバイス検出装置であって、前記ハードウェアプロセッサは、
前記クライアントデバイスをデバイスの前記カテゴリに割り当てるべきかどうかを判定したことに応答して、特徴の前記集合の第３の部分集合に従って第３のスコアを求め、前記第３のスコアは、前記クライアントデバイスがデバイスの前記カテゴリを表す第３の程度を示し、
応答して、前記集約スコアおよび前記第３のスコアを組み合わせて調節集約スコアを生成し、
前記調節集約スコアを生成したことに応答して、前記調節集約スコアに従って前記クライアントデバイスをデバイスの前記カテゴリに割り当てるべきかどうかを判定する
ように更に構成される、デバイス検出装置。
【請求項８】
請求項１に記載のデバイス検出装置であって、前記クライアントデバイスを前記のデバイスのカテゴリに割り当てることは、前記クライアントデバイスの製品カテゴリおよび前記クライアントデバイスのオペレーティングシステムを示すことを含む、デバイス検出装置。
【請求項９】
請求項１に記載のデバイス検出装置であって、前記ハードウェアプロセッサは、
前記クライアントデバイスをデバイスの前記カテゴリに割り当て、
応答して、前記クライアントデバイスにエージェントインストーラの場所の指示子を送信し、前記エージェントインストーラは、デバイスの前記カテゴリに従って複数のエージェントインストーラから選択され、前記エージェントインストーラは、前記クライアントデバイスにソフトウェアエージェントをインストールするように構成される
ように更に構成される、デバイス検出装置。
【請求項１０】
請求項１に記載のデバイス検出装置であって、前記ハードウェアプロセッサは、
前記クライアントデバイスをデバイスの前記カテゴリに割り当て、
応答して、デバイスの前記カテゴリに従って前記クライアントデバイスのコンピュータセキュリティ脆弱性を識別する
ように更に構成される、デバイス検出装置。
【請求項１１】
請求項１に記載のデバイス検出装置であって、前記ハードウェアプロセッサは、
前記クライアントデバイスをデバイスの前記カテゴリに割り当て、
デバイスの前記カテゴリに従って命令の集合を作成し、前記命令を実行することは、前記クライアントデバイスで実行する動的ホスト構成プロトコル（ＤＨＣＰ）サーバの途絶を引き起こすものであり、
命令の前記集合を作成したことに応答して、前記クライアントデバイスに命令の前記集合を送信する
ように更に構成される、デバイス検出装置。
【請求項１２】
デバイス検出装置の少なくとも１つのハードウェアプロセッサを利用して、
ローカルネットワークによって前記デバイス検出装置に接続されるクライアントデバイスから受信されるデータを分析して、前記クライアントデバイスの特徴の集合を求めるステップと、
応答して、前記少なくとも１つのハードウェアプロセッサを利用して、特徴の前記集合に従ってデバイスのカテゴリを選択するステップと、
前記少なくとも１つのハードウェアプロセッサを利用して、特徴の前記集合の第１の部分集合に従って第１のスコアを求めるステップであって、前記第１のスコアは、前記クライアントデバイスがデバイスの前記カテゴリを表す第１の程度を示す、ステップと、
前記少なくとも１つのハードウェアプロセッサを利用して、特徴の前記集合の第２の部分集合に従って第２のスコアを求めるステップであって、前記第２のスコアは、前記クライアントデバイスがデバイスの前記カテゴリを表す第２の程度を示す、ステップと、
前記少なくとも１つのハードウェアプロセッサを利用して、前記第１および第２のスコアを組み合わせて集約スコアを生成するステップと、
前記集約スコアを生成したことに応答して、前記少なくとも１つのハードウェアプロセッサを利用して、前記集約スコアに従って前記クライアントデバイスをデバイスの前記カテゴリに割り当てるべきかどうかを判定するステップと
を含む方法。
【請求項１３】
請求項１２に記載の方法であって、前記クライアントデバイスをデバイスの前記カテゴリに割り当てるべきかどうかを判定するステップは、
前記少なくとも１つのハードウェアプロセッサを利用して、前記集約スコアを第３のスコアと比較するステップであって、前記第３のスコアは、前記クライアントデバイスがデバイスの別のカテゴリを表す第３の程度を示す、ステップと、
応答して、前記少なくとも１つのハードウェアプロセッサを利用して、前記比較の結果に従って前記クライアントデバイスをデバイスの前記カテゴリに割り当てるべきかどうかを判定するステップと
を含む、方法。
【請求項１４】
請求項１２に記載の方法であって、前記集約スコアは、
σ・ｗ，
に従って求められ、σは前記第１のスコアを意味し、ｗは特徴の前記第１の部分集合に従って求められる数値重みを意味する、方法。
【請求項１５】
請求項１４に記載の方法であって、前記重みｗは前記のデバイスのカテゴリに更に従って求められる、方法。
【請求項１６】
請求項１４に記載の方法であって、前記重みｗは前記第１のスコアに更に従って求められる、方法。
【請求項１７】
請求項１２に記載の方法であって、前記集約スコアは、
ｗ・ｆ（σ），
に従って求められ、σは前記第１のスコアを意味し、ｗは特徴の前記第１の部分集合に従って求められる数値重みを意味し、ｆは単射関数を意味する、方法。
【請求項１８】
請求項１２に記載の方法であって、
前記クライアントデバイスをデバイスの前記カテゴリに割り当てるべきかどうかを判定したことに応答して、前記少なくとも１つのハードウェアプロセッサを利用して、特徴の前記集合の第３の部分集合に従って第３のスコアを求めるステップであって、前記第３のスコアは、前記クライアントデバイスがデバイスの前記カテゴリを表す第３の程度を示す、ステップと、
応答して、前記少なくとも１つのハードウェアプロセッサを利用して、前記集約スコアおよび前記第３のスコアを組み合わせて調節集約スコアを生成するステップと、
前記調節集約スコアを生成したことに応答して、前記少なくとも１つのハードウェアプロセッサを利用して、前記調節集約スコアに従って前記クライアントデバイスをデバイスの前記カテゴリに割り当てるべきかどうかを判定するステップと
を更に含む方法。
【請求項１９】
請求項１２に記載の方法であって、前記クライアントデバイスを前記のデバイスのカテゴリに割り当てることは、前記クライアントデバイスの製品カテゴリおよび前記クライアントデバイスのオペレーティングシステムを示すことを含む、方法。
【請求項２０】
請求項１２に記載の方法であって、
前記少なくとも１つのハードウェアプロセッサを利用して、前記クライアントデバイスをデバイスの前記カテゴリに割り当てるステップと、
応答して、前記少なくとも１つのハードウェアプロセッサを利用して、前記クライアントデバイスにエージェントインストーラの場所の指示子を送信するステップであって、前記エージェントインストーラは、デバイスの前記カテゴリに従って複数のエージェントインストーラから選択され、前記エージェントインストーラは、前記クライアントデバイスにソフトウェアエージェントをインストールするように構成されている、ステップと
を更に含む方法。
【請求項２１】
請求項１２に記載の方法であって、
前記少なくとも１つのハードウェアプロセッサを利用して、前記クライアントデバイスをデバイスの前記カテゴリに割り当てるステップと、
応答して、前記少なくとも１つのハードウェアプロセッサを利用して、デバイスの前記カテゴリに従って前記クライアントデバイスのコンピュータセキュリティ脆弱性を識別するステップと
を更に含む方法。
【請求項２２】
請求項１２に記載の方法であって、
前記少なくとも１つのハードウェアプロセッサを利用して、前記クライアントデバイスをデバイスの前記カテゴリに割り当てるステップと、
前記少なくとも１つのハードウェアプロセッサを利用して、デバイスの前記カテゴリに従って命令の集合を作成するステップであって、前記命令を実行することは、前記クライアントデバイスの動的ホスト構成プロトコル（ＤＨＣＰ）サーバの途絶を引き起こすものである、ステップと、
命令の前記集合を作成したことに応答して、前記少なくとも１つのハードウェアプロセッサを利用して、前記クライアントデバイスに命令の前記集合を送信するステップと
を更に含む方法。
【請求項２３】
非一時的コンピュータ可読媒体であって、デバイス検出装置の少なくともハードウェアプロセッサによって実行されると、前記デバイス検出装置に、
ローカルネットワークによって前記デバイス検出装置に接続されるクライアントデバイスから受信されるデータを分析して、前記クライアントデバイスの特徴の集合を求めることと、
応答して、特徴の前記集合に従ってデバイスのカテゴリを選択することと、
特徴の前記集合の第１の部分集合に従って第１のスコアを求めることであって、前記第１のスコアは、前記クライアントデバイスがデバイスの前記カテゴリを表す第１の程度を示す、求めることと、
特徴の前記集合の第２の部分集合に従って第２のスコアを求めることであって、前記第２のスコアは、前記クライアントデバイスがデバイスの前記カテゴリを表す第２の程度を示す、求めることと、
前記第１および第２のスコアを組み合わせて集約スコアを生成することと、
前記集約スコアを生成したことに応答して、前記集約スコアに従って前記クライアントデバイスをデバイスの前記カテゴリに割り当てるべきかどうかを判定することと
をさせる命令を記憶した非一時的コンピュータ可読媒体。